(57)【特許請求の範囲】
【請求項１】
被噴射材の搬送方向に沿う複数の突条が前記搬送方向と交差する方向へ間隔をもって設けられ、前記搬送方向へ搬送される被噴射材を前記突条の頂面で支持する被噴射材支持部材であって、
前記突条の頂面で支持される被噴射材に液体を噴射する際に当該被噴射材の外側に噴射される液体が打ち捨てられる打ち捨て部が所定の突条間に設けられ、
前記打ち捨て部が設けられた突条間以外の突条間には、その突条間に負圧を発生させるための吸引孔が設けられ、
前記打ち捨て部が設けられた突条間は、前記搬送方向に沿う壁部が設けられ、当該突条間を構成する一方の突条と前記壁部とで前記打ち捨て部が構成され、当該突条間を構成する他方の突条と前記壁部とで負圧発生部が構成され、負圧を発生させるための吸引孔が前記負圧発生部に設けられており、
前記壁部の頂面に前記被噴射材が当接した際に前記打ち捨て部と前記負圧発生部とが連通する連通路を前記壁部に設けたことを特徴とした被噴射材支持部材。
【請求項２】
請求項１に記載の被噴射材支持部材において、前記搬送方向と交差する方向における被噴射材の支持位置の基準に対して、前記打ち捨て部より外側に前記負圧発生部が設けられている、ことを特徴とした被噴射材支持部材。
【請求項３】
請求項１または２に記載の被噴射材支持部材と、前記吸引孔に吸引力を発生させる吸引装置と、前記被噴射材支持部材に支持される被噴射材に液体を噴射する手段と、を備えた液体噴射装置。
【発明の詳細な説明】
【技術分野】
【０００１】
本発明は、被噴射材の搬送方向に沿う複数の突条が前記搬送方向と交差する方向へ間隔をもって設けられ、前記搬送方向へ搬送される被噴射材を前記突条の頂面で支持する被噴射材支持部材、該被噴射材支持部材を備えた液体噴射装置に関する。
【０００２】
ここで、液体噴射装置とは、記録ヘッド等の液体噴射ヘッドから記録紙等の被噴射材へ液体を噴射して記録紙等への記録を実行する液体ジェット式記録装置、複写機及びファクシミリ等に限らず、液体に代えて特定の用途に対応する液体を液体噴射ヘッドから被噴射材に噴射して、液体を被噴射材に付着させる装置を含む意味で用いる。  
また、液体噴射ヘッドとしては、前述した記録ヘッド以外に、液晶ディスプレイ等のカラーフィルタ製造に用いられる色材噴射ヘッド、有機ＥＬディスプレイや面発光ディスプレイ（ＦＥＤ）等の電極形成に用いられる電極材（導電ペースト）噴射ヘッド、バイオチップ製造に用いられる生体有機物噴射ヘッド、精密ピペットとしての試料を噴射する試料噴射ヘッド等が挙げられる。
【背景技術】
【０００３】
例えばインクジェットプリンターに使用される記録紙等、吸湿性のある被噴射材は、被噴射材に噴射された液体の一部を吸収して膨潤することによって、いわゆるコックリング現象による波打ち変形が生ずることがある。そして液体噴射装置において、被噴射材支持部材に支持される被噴射材に波打ち変形が生ずると、その被噴射材の一部が被噴射材支持部材から浮き上がってしまい、被噴射材が液体噴射ヘッドに接触するヘッド擦れが生ずる虞がある。このヘッド擦れは、被噴射材に傷や汚れ等が生ずる要因になるとともに、液体噴射ヘッドの故障の要因にもなり得る。
【０００４】
このようなコックリング現象による被噴射材の波打ち変形に起因したヘッド擦れを低減させることを目的とした従来技術の一例としては、被噴射材の搬送方向に沿う複数の突条が搬送方向と交差する方向へ間隔をもって設けられ、搬送方向へ搬送される被噴射材を突条の頂面で支持する被噴射材支持部材を備えた液体噴射装置が公知である（例えば、特許文献１を参照）。このような液体噴射装置においては、被噴射材支持部材に支持される被噴射材に液体が噴射されると、被噴射材支持部材の複数の突条により構成される凹凸に倣った形状でコックリング現象による波打ち変形が生ずる。そのような波打ち変形が生じた被噴射材は、波打ち変形の山部分が突条の頂面で支持され、波打ち変形の谷部分を突条間の空間に逃がした状態で、被噴射材支持部材に支持されることになる。それによって、コックリング現象による波打ち変形で被噴射材が浮き上がってしまう虞を低減させることができ、それに起因したヘッド擦れを低減させることができる。
【０００５】
また上記のような液体噴射装置において、さらに被噴射材支持部材の突条間に吸引孔を設けたものが公知である（例えば、特許文献１を参照）。吸引孔に吸引力を発生させて突条間に負圧を発生させることにより、突条の頂面に支持される被噴射材は、突条の頂面に押し付けられる方向へ付勢されることになる。それによって、被噴射材支持部材に支持される被噴射材の浮き上がりをさらに抑制することができる。
【０００６】
さらに上記のような液体噴射装置においては、被噴射材の端部まで余白なく液体を噴射するために、被噴射材より外側の領域も包含する液体噴射領域を設定して被噴射材に液体を噴射することがある。例えばインクジェットプリンターにおいては、いわゆる縁なし記録（印刷）を実行可能なものが公知である（例えば、特許文献１を参照）。このような液体噴射装置は、突条の搬送方向の上流側及び下流側並びに所定の突条間に、被噴射材の外側に液体を打ち捨てるための打ち捨て部が設けられているのが一般的である。
【０００７】
ここで、被噴射材の外側に液体を打ち捨てるための打ち捨て部を所定の突条間に設けた場合、その打ち捨て部を設けた突条間に、どのように負圧を発生させるかが問題となる。例えば、打ち捨て部を設けた突条間に吸引孔を設けると、打ち捨て部に噴射される液体が吸引孔に流入して吸引孔を塞いでしまうため、突条間に負圧を発生させることが困難となる。また、打ち捨て部を設けた突条間に液体吸収材を配設すれば、その突条間の吸引孔に液体が流入することは防止できるものの、その突条間の吸引孔が液体吸収材で塞がれてしまうことになるため、やはり突条間に負圧を発生させることが困難となる。
【０００８】
この点に関し、特許文献１に開示された液体噴射装置は、打ち捨て部となる突条間に凹部が設けられており、その凹部の底部に液体吸収材が配置され、その凹部の側壁に吸引孔が設けられている。この吸引孔は、いわゆるインクミストを吸引する目的で設けられているが、同時に突条間に負圧を発生させることも可能である。つまり特許文献１に開示された液体噴射装置は、その構造としては、打ち捨て部を設けた突条間に負圧を発生させることが可能になっている。
【先行技術文献】
【特許文献】
【０００９】
【特許文献１】特開２００７−１４４７１０号公報
【発明の概要】
【発明が解決しようとする課題】
【００１０】
しかしながら特許文献１に開示された液体噴射装置は、打ち捨て部となる突条間に凹部を設け、その凹部の底部に液体吸収材を配置する構造である。そのため、液体噴射ヘッドから打ち捨て部に噴射された液体が液体吸収材に到達するまでの距離が相当長くなってしまう。つまり、液体噴射ヘッドから打ち捨て部に噴射された液体の飛行距離が相当長くなってしまう。一般に液体噴射ヘッドから噴射された液体の飛行距離が長くなれば長くなるほど、その液体から発生するミスト（インクミスト等）の量は増加する。すなわち特許文献１に開示された液体噴射装置は、打ち捨て部に噴射される液体から多くのミストが発生する虞がある。そして、打ち捨て部において発生したミストは、吸引孔を介して吸引ファン等の吸引装置に付着し、吸引装置の吸引能力を低下させる要因となる。また、吸引装置にミストが付着しないようにフィルタ等を設けるとなると、定期的にフィルタ等を清掃又は交換する必要が生じてしまい、液体噴射装置の保守性が低下することとなる。
【００１１】
本発明は、このような状況に鑑み成されたものであり、本発明に係る幾つかの態様が解決する課題は、打ち捨て部が設けられた突条間に負圧を発生させることが可能な構造で、かつ打ち捨て部において発生するミストがより少ない構造の被噴射材支持部材を実現することにある。
【課題を解決するための手段】
【００１２】
本発明の第１の態様は、被噴射材の搬送方向に沿う複数の突条が前記搬送方向と交差する方向へ間隔をもって設けられ、前記搬送方向へ搬送される被噴射材を前記突条の頂面で支持する被噴射材支持部材であって、前記突条の頂面で支持される被噴射材に液体を噴射する際に当該被噴射材の外側に噴射される液体が打ち捨てられる打ち捨て部が所定の突条間に設けられ、前記打ち捨て部が設けられた突条間以外の突条間には、その突条間に負圧を発生させるための吸引孔が設けられ、前記打ち捨て部が設けられた突条間は、前記搬送方向に沿う壁部が設けられ、当該突条間を構成する一方の突条と前記壁部とで前記打ち捨て部が構成され、当該突条間を構成する他方の突条と前記壁部とで負圧発生部が構成され、負圧を発生させるための吸引孔が前記負圧発生部に設けられている、ことを特徴とした被噴射材支持部材である。
【００１３】
このように、打ち捨て部が設けられた突条間に負圧発生部を設けることによって、打ち捨て部が設けられた突条間に負圧を発生させることが可能になる。また、突条間を壁部で仕切り、一方側を打ち捨て部とし、他方側を負圧発生部として、打ち捨て部と負圧発生部とを分離して突条間に設ける構造であるため、打ち捨て部に液体が噴射される際に発生するミストが負圧発生部に流入する虞を低減させることができる。さらに、打ち捨て部と負圧発生部とを突条間に並設する構造であるため、従来のように液体噴射ヘッドから打ち捨て部までの距離が不必要に長くなってしまうことがない。すなわち、打ち捨て部に噴射される液体の飛行距離が不必要に長くなることがないので、打ち捨て部に液体が噴射される際に発生するミストの量を最小限に止めることができる。
【００１４】
これにより本発明の第１の態様に記載の発明によれば、打ち捨て部が設けられた突条間に負圧を発生させることが可能な構造で、かつ打ち捨て部において発生するミストがより少ない構造の被噴射材支持部材を実現できるという作用効果が得られる。
【００１５】
本発明の第２の態様は、前述した第１の態様に記載の被噴射材支持部材において、前記打ち捨て部と前記負圧発生部とを連通させる連通路が前記壁部に設けられている、ことを特徴とした被噴射材支持部材である。
【００１６】
前記の通り、コックリング現象による波打ち変形が生じた被噴射材は、波打ち変形の山部分が突条の頂面で支持され、被噴射材の波打ち変形の谷部分を突条間の空間に逃がした状態で、被噴射材支持部材に支持されることになる。そのとき、打ち捨て部が設けられた突条間の壁部の頂面に被噴射材の波打ち変形の谷部分が当接すると、負圧発生部側の空間と打ち捨て部側の空間とが被噴射材によって分断されてしまう可能性がある。そのような状態になると、打ち捨て部側の空間に負圧を発生させることができないため、その打ち捨て部が設けられた突条間だけ他の突条間より負圧が小さくなってしまう。つまり、打ち捨て部が設けられた突条間で被噴射材の浮き上がりが生じやすくなる虞がある。
【００１７】
このようなことを回避するために、本発明の第２の態様は、打ち捨て部と負圧発生部とを連通させる連通路が壁部に設けられている。それによって、壁部の頂面に被噴射材の波打ち変形の谷部分が当接したときでも、負圧発生部側の空間と打ち捨て部側の空間との連通を確保することができる。したがって、そのような状態においても負圧発生部によって打ち捨て部に負圧を発生させることができるので、打ち捨て部が設けられた突条間で被噴射材の浮き上がりが生じやすくなる虞をさらに低減させることができる。
【００１８】
本発明の第３の態様は、前述した第１の態様又は第２に記載の被噴射材支持部材において、前記搬送方向と交差する方向における被噴射材の支持位置の基準に対して、前記打ち捨て部より外側に前記負圧発生部が設けられている、ことを特徴とした被噴射材支持部材である。  
このような特徴によれば、搬送方向と交差する方向における被噴射材の支持位置のずれや被噴射材の寸法誤差によって負圧発生部に液体が噴射されてしまう虞を低減させることができる。
【００１９】
本発明の第４の態様は、前述した第１〜第３の態様のいずれかに記載の被噴射材支持部材と、前記吸引孔に吸引力を発生させる吸引装置と、前記被噴射材支持部材に支持される被噴射材に液体を噴射する手段と、を備えた液体噴射装置である。
【００２０】
本発明の第４の態様に記載の液体噴射装置によれば、液体噴射装置において、前述した第１〜第３の態様のいずれかに記載の発明による作用効果を得ることができる。  
また、打ち捨て部に液体が噴射される際に発生するミストが負圧発生部に流入する虞を低減させることができるので、吸引装置にミストが付着して吸引装置の吸引能力が低下する虞を低減させることができる。
【図面の簡単な説明】
【００２１】
【図１】インクジェットプリンターの要部側面図。
【図２】記録紙支持部材が設けられた部分を拡大図示した要部斜視図。
【図３】記録紙支持部材の一部を拡大図示した斜視図。
【図４】記録紙支持部材の一部を拡大図示した要部正面図。
【発明を実施するための形態】
【００２２】
以下、本発明の実施の形態を図面に基づいて説明する。
【００２３】
＜インクジェットプリンター１の構成＞
まず、「液体噴射装置」としてのインクジェットプリンター１の構成について説明する。  
図１は、インクジェットプリンター１の要部側面図である。
【００２４】
インクジェットプリンター１は、「被噴射材」としての記録紙Ｐに記録を実行する手段として、搬送駆動ローラー１１、搬送従動ローラー１２、記録紙支持部材１３、排出駆動ローラー１４、排出従動ローラー１５、キャリッジ１６及び記録ヘッド１７を備えている。
【００２５】
搬送駆動ローラー１１は、外周面に高摩擦被膜が施されており、図示していない搬送用モーターの回転駆動力が伝達されて回転する。搬送従動ローラー１２は、搬送駆動ローラー１１に当接する方向へ付勢された状態で従動回転可能に軸支されている。記録紙支持部材１３は記録紙Ｐを裏面側から支持する。「液体噴射ヘッド」としての記録ヘッド１７のヘッド面と記録紙Ｐの記録面（記録が実行される面。以下同じ。）との間隔は、この記録紙支持部材１３によって一定の間隔に維持される。排出駆動ローラー１４は、図示していない搬送用モーターの回転駆動力が伝達されて回転する。排出従動ローラー１５は、従動回転可能に軸支されるとともに、排出駆動ローラー１４に当接する方向へ付勢されている。
【００２６】
キャリッジ１６は、キャリッジガイド軸１８及びガイドフレーム１９によって、主走査方向へ往復動可能に支持されている。ここで主走査方向は、記録紙支持部材１３に支持された状態の記録紙Ｐの記録面に沿って副走査方向Ｙ（記録紙Ｐの搬送方向）と交差する方向である。キャリッジガイド軸１８は、主走査方向に沿って配設された金属軸体からなる部品である。ガイドフレーム１９は、金属板を曲げ加工等して形成された部品であり、主走査方向に沿って配設されている。キャリッジ１６は、キャリッジガイド軸１８に軸支されるとともに、副走査方向Ｙの下流側部分がガイドフレーム１９に自重で当接して摺接する状態で、主走査方向へ往復動可能に支持される。
【００２７】
キャリッジ１６は、図示していないキャリッジ駆動用モーターの駆動プーリーと従動プーリーとの間に掛架された無端ベルトが連結されている。キャリッジ１６は、キャリッジ駆動用モーターの回転駆動力で無端ベルトを双方向回転させることによって主走査方向へ往復動する。記録ヘッド１７は、記録紙支持部材１３に支持された状態の記録紙Ｐの記録面にヘッド面が対面するようにキャリッジ１６に搭載されている。記録ヘッド１７のヘッド面には、「液体」としてのインクを記録紙Ｐの記録面に噴射してドットを形成するための多数の噴射ノズルが配設されている（図示せず）。
【００２８】
記録紙Ｐは、搬送駆動ローラー１１と搬送従動ローラー１２とで挟持され、搬送駆動ローラー１１の駆動回転によって記録紙支持部材１３上を副走査方向Ｙへ搬送される。記録紙支持部材１３上の記録紙Ｐは、キャリッジ１６が主走査方向へ往復動しながら記録ヘッド１７のヘッド面から記録面にインクを噴射してドットを形成する動作と、搬送駆動ローラー１１の駆動回転により所定の搬送量で副走査方向Ｙへ搬送される動作とが交互に繰り返されることによって、記録面に記録が実行される。そして、記録面に記録が実行された記録紙Ｐは、排出駆動ローラー１４と排出従動ローラー１５とで挟持され、排出駆動ローラー１４の駆動回転により副走査方向Ｙへ搬送されてインクジェットプリンター１から排出される。これらの一連の記録制御は、公知のマイコン制御回路を有する制御装置（図示せず）により実行される。
【００２９】
＜記録紙支持部材１３の構成＞
つづいて、記録紙支持部材１３の構成について、引き続き図１も参照しつつ、図２〜図４を参照しながら説明する。  
図２は、記録紙支持部材１３が設けられた部分を拡大図示したインクジェットプリンター１の要部斜視図である。図３は、記録紙支持部材１３の一部を拡大図示した斜視図である。
【００３０】
「被噴射材支持部材」としての記録紙支持部材１３は、副走査方向Ｙに沿う突条１３１が主走査方向Ｘへ間隔をもって複数設けられている。副走査方向Ｙへ搬送される記録紙Ｐは、主走査方向Ｘの端部が基準位置１３ａに位置するように主走査方向Ｘの位置決めがされた状態で、複数の突条１３１の頂面で支持される。基準位置１３ａは、記録紙支持部材１３より副走査方向Ｙの上流側及び下流側に設けられた案内部材（図示せず）に記録紙Ｐの主走査方向Ｘの端部が当接することにより規定される。
【００３１】
複数の突条１３１の上流側には、主走査方向Ｘへ沿って上流側打ち捨て溝１３２が形成されている。また複数の突条１３１の下流側には、主走査方向Ｘへ沿って下流側打ち捨て溝１３３が形成されている。さらに所定の突条１３１と突条１３１との間（以下、単に「突条間」という。）には、突条間打ち捨て溝１３４が設けられている。この突条間打ち捨て溝１３４が設けられた突条間（例えば図３の符号Ｃで示した突条間。以下、「突条間Ｃ」という。）は、基準位置１３ａを基準として主走査方向Ｘの位置決めがされた記録紙Ｐの主走査方向Ｘの端部が位置する。また突条間打ち捨て溝１３４は、記録紙Ｐの複数のサイズ（Ａ３、Ａ４等）に対応する突条間にそれぞれ設けられている。複数の突条１３１の頂面で支持される記録紙Ｐに四辺縁なし記録を実行する際には、記録紙Ｐの外側に噴射されるインクは、この上流側打ち捨て溝１３２、下流側打ち捨て溝１３３及び突条間打ち捨て溝１３４に打ち捨てられる。そのため、上流側打ち捨て溝１３２、下流側打ち捨て溝１３３及び突条間打ち捨て溝１３４には、インク吸収材Ｓが配設されている。
【００３２】
突条間打ち捨て溝１３４が設けられた突条間以外の突条間（例えば図３の符号Ｂで示した突条間。以下、「突条間Ｂ」という。）には、凹部１３５が形成されている。凹部１３５の底部には、突条間Ｂに負圧を発生させるための吸引孔１３６が設けられている。吸引孔１３６は、記録紙支持部材１３の底部に設けられた負圧室２１に連通している。負圧室２１は、略密閉された空間であり、「吸引装置」としての吸引ファン２０が設けられている。この吸引ファン２０を動作させることによって、吸引孔１３６に吸引力Ａを発生させることができ、それによって突条間Ｂに負圧を発生させることができる。
【００３３】
突条間Ｃには、副走査方向Ｙに沿う壁部１３８が設けられている。つまり突条間Ｃは壁部１３８で仕切られている。それによって突条間Ｃには、当該突条間Ｃを構成する一方の突条１３１と壁部１３８とで突条間打ち捨て溝１３４が構成され、当該突条間Ｃを構成する他方の突条１３１と壁部１３８とで負圧発生部１３７が構成されている。また負圧発生部１３７には、その負圧発生部１３７に負圧を発生させるための吸引孔１３６が設けられている。吸引孔１３６は負圧室２１に連通している。さらに壁部１３８には、突条間打ち捨て溝１３４と負圧発生部１３７とを連通させる「連通路」を構成する切り欠き部１３９が設けられている。
【００３４】
図４は、記録紙支持部材１３の一部を拡大図示した要部正面図である。  
尚、図４（ａ）及び図４（ｂ）に図示されている突条間Ｃは、いずれもＡ４サイズの記録紙Ｐ１の四辺縁なし記録に対応する突条間打ち捨て溝１３４が設けられた突条間Ｃ（以下、「Ａ４サイズ用突条間Ｃ」という。）である。
【００３５】
図４（ａ）は、Ａ４サイズの記録紙Ｐ１が記録紙支持部材１３に支持されている状態を図示したものである。  
Ａ４サイズの記録紙Ｐ１（以下、単に「記録紙Ｐ１」という。）は、記録紙支持部材１３の所定位置に支持された状態においては、複数の突条１３１の頂面で支持されるともに、主走査方向Ｘの端部がＡ４サイズ用突条間Ｃの突条間打ち捨て溝１３４に位置する。したがって、この記録紙Ｐ１に四辺縁なし記録を実行する際には、突条間打ち捨て溝１３４にインクを打ち捨てながら、当該端部に余白なく記録を実行することができる。このとき、記録紙Ｐ１に対するインク噴射領域を突条間打ち捨て溝１３４より内側に設定する限り、Ａ４サイズ用突条間Ｃの負圧発生部１３７にインクが噴射されることはない。
【００３６】
また、突条間打ち捨て溝１３４と負圧発生部１３７とが壁部１３８で仕切られているため、突条間打ち捨て溝１３４にインクが噴射される際に発生するインクミストが負圧発生部１３７に流入する虞を低減させることができる。さらに、突条間打ち捨て溝１３４と負圧発生部１３７とを突条間Ｃに並設する構造であるため、記録ヘッド１７から突条間打ち捨て溝１３４までの距離が不必要に長くなってしまうことがない。すなわち、突条間打ち捨て溝１３４に噴射されるインクの飛行距離が不必要に長くなることがないので、突条間打ち捨て溝１３４にインクが噴射される際に発生するインクミストの量を最小限に止めることができる。
【００３７】
図４（ｂ）は、Ａ３サイズの記録紙Ｐ２が記録紙支持部材１３に支持されている状態を図示したものである。  
Ａ３サイズの記録紙Ｐ２（以下、単に「記録紙Ｐ２」という。）は、記録紙支持部材１３の所定位置に支持された状態においては、Ａ４サイズ用突条間Ｃを構成する二つの突条１３１を含む複数の突条１３１の頂面で支持される。このとき吸引孔１３６に吸引力Ａが作用することによって、Ａ４サイズ用突条間Ｃの負圧発生部１３７に負圧が発生する。またＡ４サイズ用突条間Ｃの突条間打ち捨て溝１３４は、壁部１３８の頂面と記録紙Ｐ２との間の隙間を介して、あるいは壁部１３８の切り欠き部１３９を介して（符号Ｄ）負圧発生部１３７と連通するため、負圧発生部１３７と同程度の負圧が発生する。それによって、Ａ４サイズ用突条間Ｃに一定以上の負圧を発生させることができるので、Ａ４サイズ用突条間Ｃにおいて記録紙Ｐ２の浮き上がりが生じてしまう虞を低減させることができる。
【００３８】
このようにして本発明によれば、突条間打ち捨て溝１３４が設けられた突条間Ｃに負圧を発生させることが可能な構造で、かつ突条間打ち捨て溝１３４において発生するミストがより少ない構造の記録紙支持部材１３を実現することができる。
【００３９】
また本発明においては、上記実施例のように、突条間打ち捨て溝１３４と負圧発生部１３７とを連通させる「連通路」（切り欠き部１３９）を壁部１３８に設けるのが好ましい。これは本発明に必須の事項ではないが、それによって、記録紙Ｐの波打ち変形の谷部分が壁部１３８の頂面に当接したときでも、負圧発生部１３７側の空間と突条間打ち捨て溝１３４側の空間との連通を確保することができる。したがって、そのような状態においても負圧発生部１３７によって突条間打ち捨て溝１３４に負圧を発生させることができるので、突条間Ｃで記録紙Ｐの浮き上がりが生じやすくなる虞をさらに低減させることができる。
【００４０】
さらに本発明においては、上記実施例のように、基準位置１３ａに対して、突条間打ち捨て溝１３４より外側に負圧発生部１３７を設けるのが好ましい。これは本発明に必須の事項ではないが、それによって、主走査方向Ｘにおける記録紙Ｐの支持位置のずれや記録紙Ｐの寸法誤差によって負圧発生部１３７にインクが噴射されてしまう虞を低減させることができる。
【００４１】
尚、本発明は、上記説明した実施例に限定されることなく、特許請求の範囲に記載した発明の範囲内で種々の変形が可能であり、それらも本発明の範囲内に含まれるものであることは言うまでもない。
【符号の説明】
【００４２】
１  インクジェットプリンター、１１  搬送駆動ローラー、１２  搬送従動ローラー、１３  記録紙支持部材、１４  排出駆動ローラー、１５  排出従動ローラー、１６  キャリッジ、１７  記録ヘッド、１８  キャリッジガイド軸、１９  ガイドフレーム、２０  吸引ファン、２１  負圧室、１３１  突条、１３２  上流側打ち捨て溝、１３３  下流側打ち捨て溝、１３４  突条間打ち捨て溝、１３５  凹部、１３６  吸引孔、１３７  負圧発生部、１３８  壁部、１３９  切り欠き部、Ｐ  記録紙、Ｓ  インク吸収材、Ｘ  主走査方向、Ｙ  副走査方向
【図１】
0005472597.tif 000002
【図２】
0005472597.tif 000003
【図３】
0005472597.tif 000004
【図４】
0005472597.tif 000005